(57)【要約】【課題】目視確認しなくても所望の項目を選択できる入力装置、及び、メニュー表示プログラムを提供する。【解決手段】本発明の操作入力装置は、入力座標を検出する座標入力手段10およびこれに積層された複数のキー20と、アプリケーション実行手段における処理の選択肢を表す選択候補項目を取得し、キーの配置と座標とに基づいて選択候補項目の前記キーへの割り当てを決定するキー割当決定手段40と、これに基づいて前記選択候補項目の表示レイアウトを決定する表示レイアウト決定手段50と、それに基づいて前記選択候補項目を表示する表示手段30と、選択候補項目をアプリケーション実行手段へ出力する選択項目出力手段60と、を具備する。【選択図】図１
2011090365.tif 000002
【特許請求の範囲】
【請求項１】
入力座標を検出する座標入力手段と、
前記座標入力手段と積層された複数のキーと、  
アプリケーション実行手段における処理の選択肢を表す選択候補項目を取得し、前記キーの配置と前記入力座標とに基づいて前記選択候補項目の前記キーへの割り当てを決定するキー割当決定手段と、
前記キーの配置と前記割り当てとに基づいて前記選択候補項目の表示レイアウトを決定する表示レイアウト決定手段と、
前記表示レイアウトに基づいて前記選択候補項目を表示する表示手段と、
操作された前記キーに割り当てられた選択候補項目をアプリケーション実行手段へ出力する選択項目出力手段と、
を具備する操作入力装置。
【請求項２】
前記座標入力手段は、検出した座標情報が座標検出手段の端部、もしくは、角部の場合に、選択候補項目の配置をそれぞれ所定の並び順に変更する、
請求項１記載の表示装置。
【請求項３】
前記キー割当決定手段は、選択候補項目が持つ意味に応じて、選択候補項目の配置を所定の並び順に変更する、
請求項１記載の表示装置。
【請求項４】
前記選択項目出力手段は、前記座標入力手段が検出した座標情報が、前記表示手段が表示する選択候補項目の範囲外である場合、選択候補項目の表示を消去する、
請求項１記載の表示装置。
【請求項５】
入力座標を検出する座標入力手段と積層された複数のキーを有する操作入力装置を制御する操作入力制御方法であって、アプリケーション実行手段における処理の選択肢を表す選択候補項目を取得し、前記キーの配置と前記入力座標とに基づいて前記選択候補項目の前記キーへの割り当てを決定するキー割当決定ステップと、
前記キーの配置と前記キー割当決定ステップの結果に基づいて前記選択候補項目の表示レイアウトを決定する表示レイアウト決定ステップと、
前記表示レイアウト決定ステップの結果に基づいて前記選択候補項目を表示する表示ステップと、
操作された前記キーに割り当てられた選択候補項目をアプリケーション実行手段へ出力する選択項目出力ステップと、を有する操作入力制御方法。
【発明の詳細な説明】
【技術分野】
【０００１】
本発明は、表示画面に操作メニューを表示して、これらの操作メニューの中から所定の選択項目を選択する事により、当該選択項目に割り当てられる処理を実行する事ができる通信端末の操作入力装置に関する。
【背景技術】
【０００２】
近年、携帯電話機等の無線端末装置において、操作方法として、押圧式キーに積層したタッチパッド等の座標検出装置によりメニューを操作する方法がある。例えば、画面上に選択項目を表示し、ユーザがタッチパッドを操作する事で、画面上のカーソルを移動し、決定キー押下により、所望のメニューを選択できる。
【先行技術文献】
【特許文献】
【０００３】
【特許文献１】特開２００６−１３９６１５号公報
【特許文献２】特開２００８−０８４２５１号公報
【発明の概要】
【発明が解決しようとする課題】
【０００４】
タッチパッド等の座標検出装置による操作には、座標検出装置上で、指を項目の方向へ移動し、表示画面上のカーソルが項目の上に移動した事を目視確認し、決定キーを押下するという操作が必要である。
また、座標検出装置の操作とキー押下を片手で行う場合、所望のキーがある位置まで指を大きく移動させなければならないこともあり、押圧式キーによるブラインドタッチのような素早い操作ができないという課題がある。
本発明はかかる点に鑑みてなされたものであり、座標検出装置を操作し、画面上の選択項目にカーソルが移動したことを目視確認し、決定キーを押下するという操作を、目視確認しなくても所望の項目を選択できる入力装置、及び、メニュー表示プログラムを提供する事を目的とする。
【課題を解決するための手段】
【０００５】
本発明の入力装置は、入力座標を検出する座標入力手段と、前記座標入力手段と積層された複数のキーと、アプリケーション実行手段における処理の選択肢を表す選択候補項目を取得し、前記キーの配置と前記座標とに基づいて前記選択候補項目の前記キーへの割り当てを決定するキー割当決定手段と、前記キーの配置と前記割り当てとに基づいて前記選択候補項目の表示レイアウトを決定する表示レイアウト決定手段と、前記表示レイアウトに基づいて前記選択候補項目を表示する表示手段と、操作された前記キーに割り当てられた選択候補項目をアプリケーション実行手段へ出力する選択項目出力手段と、を具備する構成を採る。
【発明の効果】
【０００６】
本発明によれば、座標検出装置を操作し、画面上の選択項目にカーソルが移動したことを目視確認し、決定キーを押下するという操作を、目視確認せずとも所望の項目を選択する事ができる。
【図面の簡単な説明】
【０００７】
【図１】本発明の実施の形態１に係る操作入力装置の概略構成図
【図２】本発明の実施の形態１に係る操作入力装置の詳細構成図
【図３Ａ】本発明の実施の形態１に係る操作入力装置の外観図
【図３Ｂ】本発明の実施の形態１に係る操作入力装置の外観図
【図４】本発明の実施の形態１に係るキー割当決定処理の動作の一例を示すフローチャート
【図５】本発明の実施の形態１に係る表示レイアウト決定処理の動作の一例を示すフローチャート
【図６】本発明の実施の形態１に係る選択項目出力処理の動作の一例を示すフローチャート
【図７Ａ】本発明の実施の形態１に係る操作入力装置のタッチパネル入力時の動作例を示す図
【図７Ｂ】本発明の実施の形態１に係る操作入力装置のタッチパネル入力時の動作例を示す図
【図７Ｃ】本発明の実施の形態１に係る操作入力装置のタッチパネル入力時の動作例を示す図
【図８】本発明の実施の形態１に係る操作入力装置のキー入力時の動作例を示す図
【図９】本発明の実施の形態２に係るキー割当決定処理の動作の一例を示すフローチャート
【図１０Ａ】本発明の実施の形態２に係る操作入力装置のタッチパネル入力時の動作例を示す図
【図１０Ｂ】本発明の実施の形態２に係る操作入力装置のタッチパネル入力時の動作例を示す図
【図１１】本発明の実施の形態２に係るキー割当決定処理の動作の一例を示すフローチャート
【図１２Ａ】本発明の実施の形態３に係る操作入力装置のタッチパネル入力時の動作例を示す図
【図１２Ｂ】本発明の実施の形態３に係る操作入力装置のタッチパネル入力時の動作例を示す図
【図１３】本発明の実施の形態４に係る選択項目出力処理の動作の一例を示すフローチャート
【発明を実施するための形態】
【０００８】
以下、本発明の実施の形態について、図面を参照して詳細に説明する。
【０００９】
（実施の形態１）
図１は、本発明の実施の形態１に係る表示入力装置通信端末１００の概略構成を示す図である。図１において通信端末１００は、入力装置１および入力装置１における操作入力に基づいて所定の機能を実行するアプリケーション実行手段２から構成される。アプリケーション実行手段２は、たとえばインターネット上のｗｅｂサイトをブラウズする機能を実行する。入力装置１は利用者の入力操作に基づいて、アプリケーション実行手段２における処理の選択肢を表す選択候補項目のうち、利用者によって選択された選択項目をアプリケーション実行手段２へ出力する。
【００１０】
表示入力装置１００は、座標入力手段１０、キー２０、表示手段３０、キー割当決定手段４０、表示レイアウト決定手段５０、選択項目出力手段６０を具備する。
【００１１】
座標入力手段１０は、利用者による座標入力操作を検出し、検出した座標情報を出力する。キー割当決定手段４０は、座標入力手段１０が出力した座標情報、アプリケーション実行手段２における処理の選択肢を表す選択候補項目、キー２０を構成するキーの空間的な位置を表すキー配置情報に基づいて選択候補項目、および選択候補項目ごとに割り当てられるキーを示すキー割当情報を出力する。表示レイアウト決定手段５０は、キー割当決定手段４０が出力する選択候補項目、キー割当情報、キー配置情報に基づいて、選択候補項目ごとの表示位置を決定し、表示すべき選択候補項目および選択候補項目の表示位置を表示手段３０へ出力する。表示手段３０は、選択候補項目、表示位置に基づいて選択候補項目を表示する。キー２０は、利用者によるキー入力操作を検出し、操作されたキーを示すキー操作情報を出力する。選択項目出力手段６０は、キー割当決定手段４０が出力する選択候補項目、キー割当情報、およびキー２０が出力するキー操作情報に基づいて選択候補項目のうち利用者がキー操作によって選択した選択項目を出力する。
【００１２】
図２は、本発明の実施の形態１に係る通信端末１００の詳細構成図である。図２において通信端末は図１における座標検出手段１０としてキー２０と積層されたタッチパッド１０−１を具備する。
【００１３】
アプリケーション実行手段２は、表示開始指示および選択候補項目をキー割当決定手段４０に出力する。タッチパッド１０−１は、物体（利用者）による座標入力操作（接触）を検出し、検出した座標情報を出力する。
【００１４】
キー割当決定手段４０、表示レイアウト決定手段５０、選択項目出力手段６０は、ＣＰＵ（Ｃｅｎｔｒａｌ  Ｐｒｏｃｅｓｓｉｎｇ  Ｕｎｉｔ）上で動作するソフトウェア等を用いて実現される。
【００１５】
図３Ａは、本発明の実施の形態１に係る入力装置の断面図であり、図３Ｂは、本発明の実施の形態１に係る通信端末の外観図である。図３Ａに示すように、本発明の実施の形態１に係る通信端末１００は、複数の操作キー２１、キーシート２２、タッチパッド１０−１、パネルスイッチ（またはdiaphragm）２３およびＰＣＢ（Ｐｒｉｎｔｅｄ  Ｃｉｒｃｕｉｔ  Ｂｏａｒｄ）（またはＦＰＣ（Ｆｌｅｘｉｂｌｅ  Ｐｒｉｎｔｅｄ  Ｃｉｒｃｕｉｔ））２４から成る構造を有する。図３Ａに示す入力装置では、タッチパッド１０−１は、物体（ここでは、ユーザの指）の接触を感知し、操作キー２１またはキーシート２２とユーザとの接触位置の座標値を検出する。このように、図３Ａに示す入力装置は、タッチパッド１０−１と、タッチパッド１０−１と積層構造になる、各数字や文字の入力などに対応した凸形状の複数の操作キー２１とを有する。
【００１６】
図３Ａに示すとおり、操作キー２１はキーシートに対して外観側に凸形状となるよう形成されている。このため、座標入力時における指の移動の際に、操作キーの外周や操作キー間凹凸などを感じとることができるので、利用者はキー２１を目視確認しなくても、キーに接触している指のおおよその位置を把握し、指の周囲にあるキー２１を操作する事ができる。  なお、操作キーは凸形状に限定されるものではなく、複数の操作キー間の境目、操作キー輪郭が接触により把握できる形状であればよく、凹形状やスリット、輪郭のみ凹形状等でも構成しても良い。
【００１７】
また、図３Ａに示す入力装置を具備する通信端末１００の外観図を図３Ｂに示す。図３Ｂに示すように、通信端末の外部（表面）には、図１Ａに示す入力装置の複数の操作キー２１が備えられる。
【００１８】
ここで、図３Ａおよび図３Ｂに示すように、本発明の実施の形態１に係る通信端末には、検出座標（ｘ、ｙ）が定義されている。具体的には、図１Ｂに示すように、検出座標ｘおよびｙは、タッチパッド１０−１上の特定の位置を０とし、タッチパッド１０−１の表面に対して水平方向にそれぞれ定義される。
【００１９】
また、図３Ａに示すように、パネルスイッチ２３には電極２５が、ＰＣＢ２４には電極２６および電極２７が設けられている。操作キー２１が押下されると、押圧によりパネルスイッチ２３と電極２６とが接触すると共に、電極２５と電極２７とが接触するよう構成されている。電極２５と電極２６が接触し、電極２５と電極２７とが接触すると、ＰＣＢ２４条の電極２６〜電極２７間が短絡する。本発明の実施の形態１に係る通信端末は、電極２６〜電極２７間の短絡を検出することにより、操作キー２１が押下されたことを判定する。
【００２０】
図４は、本発明の実施の形態１に係る通信端末１００のキー割当決定手段４０における処理手順を示すフローチャートである。キー割当決定手段４０は座標情報、選択候補項目に基づいて選択候補項目、キー割当情報を出力する。以下、図４に示すフローチャートに沿ってキー割当決定手段４０の動作を説明する。
【００２１】
アプリケーション実行手段２が表示開始指示を出力するとキー割当決定手段４０は図４における処理を開始する。
【００２２】
まず、ステップＳ４０１においてキー割当決定手段４０はアプリケーション実行手段２から選択候補項目を取得する。次にステップＳ４０２においてキー割当決定手段４０はタッチパッド１０−１から座標情報を取得する。次にステップＳ４０３においてキー割当決定手段４０はキー配置情報を取得する。次にステップＳ４０４においてキー割当決定手段４０は選択候補項目、座標情報、キー配置情報に基づいてキー割当情報を決定する。このときキー割当決定手段４０は、座標情報およびキー配置情報に基づいて利用者の指の近くにあるキー２１を抽出し、選択候補項目ごとのキー割り当てを決定する。次にステップＳ４０５においてキー割当決定手段４０は選択候補項目、キー割当情報を表示レイアウト決定手段５０および選択項目出力手段６０へ出力する。
【００２３】
図５は、本発明の実施の形態１に係る通信端末１００の表示レイアウト決定手段５０における処理手順を示すフローチャートである。
表示レイアウト決定手段５０はキー配置情報、選択候補項目、キー割当情報に基づいて選択候補項目、表示位置を出力する。以下、図５に示すフローチャートに沿って表示レイアウト決定手段５０の動作を説明する。
キー割当決定手段が選択候補項目およびキー割当情報を出力すると表示レイアウト決定手段５０は図５における処理を開始する。
【００２４】
まず、ステップＳ５０１において表示レイアウト決定手段５０はキー割当決定手段４０から選択候補項目、キー割当情報を取得する。次にステップＳ５０２において表示レイアウト決定手段５０はキー配置情報を取得する。次にステップＳ５０３において表示レイアウト決定手段５０は選択候補項目、キー配置情報に基づいて表示位置を決定する。このとき表示レイアウト決定手段はキー配置情報から選択候補項目の割り当てられたキー２１の表示手段３０の表示する表示領域における座標情報を決定し、選択候補項目の表示位置を決定する。次にステップＳ５０４において表示レイアウト決定手段５０は選択候補項目、表示位置を表示手段３０へ出力する。
【００２５】
図６は、本発明の実施の形態１に係る通信端末１００の選択項目出力手段６０における処理手順を示すフローチャートである。選択項目出力手段６０は選択候補項目、キー割当情報、キー操作情報に基づいて選択項目を出力する。以下、図６に示すフローチャートに沿って選択項目出力手段６０の動作を説明する。
キー２０がキー操作情報を出力すると選択項目出力手段６０は図６における処理を開始する。
まず、ステップＳ６０１において選択項目出力手段６０はキー割当決定手段４０から選択候補項目、キー割当情報を取得する。次にステップＳ６０２において選択項目出力手段６０はキー２０からキー操作情報を取得する。次にステップＳ６０３において選択項目出力手段６０はキー操作情報、選択候補項目、キー配置情報に基づいて表示位置を決定する。このとき選択項目出力手段６０はキー割当情報の中でキー操作情報が示すキーが割り当てられている選択候補項目を検索して、その選択候補項目を選択項目と決定する。次にステップＳ６０４において選択項目出力手段６０は選択候補項目をアプリケーション実行手段２へ出力する。
【００２６】
図７Ａ、図７Ｂ、図７Ｃ、および図８は、本発明の実施の形態１に係る通信端末１００の動作例を説明する図である。以下、図７Ａ、図７Ｂ、図７Ｃ、および図８を中心にして通信端末１００の動作例を説明する。
【００２７】
図７Ａにおいて表示手段３０にはタッチパッド１０−１が検出する指９０の座標情報を画面上に示すカーソルＧ１が表示されている。
【００２８】
図７Ｂは、タッチパッド１０−１上で利用者が指９０を移動させたときの動作例を示す図である。図７Ｂにおいて情報端末１００はタッチパッド１０−１が検出する指９０の座標の移動量に基づいて表示手段３０が表示するカーソルＧ１の位置も移動する。図７Ｂに示す状態において、キー割当決定手段４０は図４に示すフローチャートに従って処理を実行する。キー割当決定手段４０はステップＳ４０４においてタッチパッド１０−１が検出する指９０の座標情報に近傍であるキー２１−４、キー２１−５、キー２１−７、キー２１−８をキー割当情報として決定する。このとき、キー割当決定手段４０は、図４のフローチャートにおけるステップＳ４０４において、座標情報およびキー配置情報に基づいて利用者の指の近くにあるキー２１−４、キー２１−５、キー２１−７、キー２１−８を抽出し、図７Ｃにおける選択候補項目Ｇ２、選択候補項目Ｇ３、選択候補項目Ｇ４、選択候補項目Ｇ５の割り当てを決定する。この選択候補項目とキー割当情報に基づいて、表示レイアウト決定手段５０は、キー配置情報から選択候補項目の割り当てられたキー２１−４、キー２１−５、キー２１−７、キー２１−８の表示手段３０の表示する表示領域における座標情報を決定し、選択候補項目Ｇ２、選択候補項目Ｇ４、選択候補項目Ｇ５、選択候補項目Ｇ６の表示位置を表示手段３０へ出力する。その結果、図７Ｃの表示になる。
【００２９】
次に図８に示す状態において、選択項目出力手段６０は図６に示すフローチャートに従って処理を実行する。
【００３０】
図７Ｃおよび図８に示すように選択候補項目Ｇ２、選択候補項目Ｇ３、選択候補項目Ｇ４、選択候補項目Ｇ５は、キー２１−４、キー２１−５、キー２１−７、キー２１−８に割り当てられ、利用者は指９０で選択項目Ｇ３に対応するキー２１−５を押下する事でアプリケーション実行手段２の処理の選択候補を選択する事ができる。
【００３１】
また、図３Ａに示すとおり、操作キー２１は凸形状を有する。このため、座標入力のための指の移動にともない、利用者の指が接触する位置およびその周辺の凹凸を感じ取ることができる。したがって、利用者はキー２１を目視確認しなくても指の周囲にあるキー２１を操作する事ができる。
次に図８に示す状態において、キー２１−５が指９０によって押下されると選択項目出力手段６０はステップＳ６０３においてキー操作情報、キー割当情報に基づいて選択項目Ｇ６を抽出し、選択項目をアプリケーション実行手段２に出力する。
【００３２】
このように、利用者はタッチパッド１０−１を操作し、画面上の選択項目にカーソルが移動したことを目視確認し、決定キーを押下するという操作を、目視確認せずにキー２０を押下する事で、所望の選択候補項目を選択する事ができる。
【００３３】
このように、本実施の形態１に係る通信端末１００は、入力座標を検出するタッチパッド１０−１と、タッチパッド１０１と積層された複数のキー２０と、アプリケーション実行手段における処理の選択肢を表す選択候補項目を取得し、キー配置情報と座標情報とに基づいて選択候補項目のキー割当情報を決定するキー割当決定手段４０と、キー配置情報とキー割当情報とに基づいて選択候補項目の表示レイアウトを決定する表示レイアウト決定手段５０と、前記表示レイアウトに基づいて選択候補項目を表示する表示手段３０と、操作された記キーに割り当てられた選択候補項目をアプリケーション実行手段へ出力する選択項目出力手段６０と、を具備する。
さらに、キー割当決定手段４０は、座標入力手段１０が出力した座標情報、アプリケーション実行手段２における処理の選択肢を表す選択候補項目、キー２０を構成するキーの空間的な位置を表すキー配置情報に基づいて選択候補項目、および選択候補項目ごとにキー２０に選択候補項目を割り当て、選択候補項目をキー２０の操作で選択可能にする事で、タッチパッド１０−１を操作し、画面上の選択項目にカーソルが移動したことを目視確認し、決定キーを押下するという操作を、目視確認せずにキー２０を押下する事で、
所望の項目を選択する事ができる。
【００３４】
（実施の形態２）
本発明の実施の形態２では、座標入力手段が検出する座標情報が、座標検出手段の端、もしくは、角の場合に、選択候補項目の配置を変更する実施例を説明する。なお、本発明の実施の形態２に係る通信端末１００は、図２に示す本発明の実施の形態１に係る通信端末１００の構成を有する。
図９は、本発明の実施の形態２に係るキー割当決定手段４０の処理手順を表すフローチャートである。以下、図９に示すフローチャートに沿ってキー割当決定手段４０の動作を説明する。
ステップＳ４１１においてキー割当決定手段４０はタッチパッド１０−１が検出した座標情報がタッチパッド１０−１の端、角、あるいは、それ以外の座標上にあるかどうかによって処理を分岐する。すなわち、座標情報がタッチパッド１０−１の端にある場合（ステップＳ４１１、座標が端）は、キー割当決定手段４０はステップＳ４１２へ処理を進め、座標情報がタッチパッド１０−１の角にある場合（ステップＳ４１１、座標が角）は、キー割当決定手段４０はステップＳ４１３へ処理を進め、座標情報が端や角以外の座標上にある場合（ステップＳ４１１、それ以外）は、キー割当決定手段４０はステップＳ４０４へ処理を進める。
次にステップＳ４１２においてキー割当決定手段４０は選択候補項目、座標情報、キー配置情報に基づいてキー割当情報を決定する。このときキー割当決定手段４０は、座標情報およびキー配置情報に基づいてキー２１の端の縦一列、もしくは、横一列の利用者の指の近くにあるキー２１を抽出し、選択候補項目ごとのキー割り当てを決定する。
同様に、ステップＳ４１３においてキー割当決定手段４０は選択候補項目、座標情報、キー配置情報に基づいてキー割当情報を決定する。このときキー割当決定手段４０は、座標情報およびキー配置情報に基づいてキー２１の角、利用者の指の近くにあるキー２１を抽出し、選択候補項目ごとのキー割り当てを決定する。
図１０Ａおよび図１０Ｂは、本発明の実施の形態１に係る通信端末１００の動作例を説明する図である。
図１０Ａに示す状態においてキー割当決定手段４０は図９に示すフローチャートに従って処理を実行する。キー割当手段４０はステップＳ４１１においてタッチパッド１０−１が検出する指９０の座標情報がタッチパッド１０−１の右端であると判断し、ステップＳ４１２へ処理を分岐する。ステップＳ４１２においてキー割当決定手段４０はタッチパッド１０−１が検出する指９０の座標情報が右端である場合に、最も近傍であるキー２１−３、キー２１−６、キー２１−９、キー２１−Ｓをキー割当情報として決定する。次に、表示レイアウト決定手段５０は、図５に示すフローチャートに従いキー割当情報から選択候補項目６０１−１ｂ、選択候補項目６０１−２ｂ、選択候補項目６０１−３ｂ、選択候補項目６０１−４ｂの表示位置を決定する。次に、表示手段３０が図１０Ａに示すように選択候補項目６０１−１ｂ、選択候補項目６０１−２ｂ、選択候補項目６０１−３ｂ、選択候補項目６０１−４ｂを表示する。
図１０Ｂに示す状態においてキー割当決定手段４０は図９に示すフローチャートに従って処理を実行する。キー割当手段４０はステップＳ４１１においてタッチパッド１０−１が検出する指９０の座標情報がタッチパッド１０−１の右角であると判断し、ステップＳ４１３へ処理を分岐する。ステップＳ４１３においてキー割当決定手段４０はタッチパッド１０−１が検出する指９０の座標情報が右角である場合に、最も近傍であるキー２１−８、キー２１−９、キー２１−０、キー２１−Ｓをキー割当情報として決定する。次に、表示レイアウト決定手段５０は、図５に示すフローチャートに従いキー割当情報から選択候補項目６０１−１ｃ、選択候補項目６０１−２ｃ、選択候補項目６０１−３ｃ、選択候補項目６０１−４ｃの表示位置を決定する。次に、表示手段３０が図１０Ａに示すように選択候補項目６０１−１ｃ、選択候補項目６０１−２ｃ、選択候補項目６０１−３ｃ、選択候補項目６０１−４ｃを表示する。
このように、本発明の実施の形態２に係る通信端末１００のキー割当決定手段４０は、座標入力手段が検出する座標情報が、座標検出手段の端、もしくは、角の場合に、選択候補項目の配置を変更する。
よって、本実施の形態によれば、利用者がタッチパッド１０−１の端や角など選択可能なキーがない、もしくは、少ない座標上で選択操作を行った場合であっても、可能な限り指から近い位置に選択項目を配置する事で、すばやい入力を可能となる。
【００３５】
（実施の形態３）
本発明の実施の形態３では、選択候補項目が持つ意味（「ＯＫ」「Ｃａｎｃｅｌ」「音量小」「音量大」など）に応じて、選択候補項目の配置を変更する実施例を説明する。なお、本発明の実施の形態３に係る通信端末１００は、図２に示す本発明の実施の形態１に係る通信端末１００の構成を有する。
図１１は、本発明の実施の形態３に係るキー割当決定手段４０の処理手順を表すフローチャートである。以下、図１１に示すフローチャートに沿ってキー割当決定手段４０の動作を説明する。
ステップＳ４２１においてキー割当決定手段４０は選択候補項目の優先度を取得する。ステップＳ４１１においてキー割当決定手段４０はタッチパッド１０−１が検出した座標情報がタッチパッド１０−１の端、角、あるいは、それ以外の座標上にあるかどうかによって処理を分岐する。すなわち、座標情報がタッチパッド１０−１の端にある場合（ステップＳ４１１、座標が端）は、キー割当決定手段４０はステップＳ４２２へ処理を進め、座標情報がタッチパッド１０−１の角にある場合（ステップＳ４１１、座標が角）は、キー割当決定手段４０はステップＳ４２３へ処理を進め、座標情報が端や角以外の座標上にある場合（ステップＳ４１１、それ以外）は、キー割当決定手段４０はステップＳ４２４へ処理を進める。
次にステップＳ４２２においてキー割当決定手段４０は選択候補項目、座標情報、キー配置情報、選択候補項目の優先度に基づいてキー割当情報を決定する。このときキー割当決定手段４０は、座標情報およびキー配置情報に基づいてキー２１の端の縦一列、もしくは、横一列の利用者の指の近くにあるキー２１を抽出し、選択候補項目の優先度に基づき左から、あるいは、右から、上から、あるいは、下から順に選択候補項目の配置を行い、選択候補項目ごとのキー割り当てを決定する。
同様にステップＳ４２３においてキー割当決定手段４０は選択候補項目、座標情報、キー配置情報に基づいてキー割当情報を決定する。このときキー割当決定手段４０は、座標情報およびキー配置情報に基づいてキー２１の端の縦一列、もしくは、横一列の利用者の指の近くにあるキー２１を抽出し、選択候補項目の優先度に基づき左から、あるいは、右から、上から、あるいは、下から順に選択候補項目の配置を行い、選択候補項目ごとのキー割り当てを決定する。
同様にステップＳ４２４においてキー割当決定手段４０は選択候補項目、座標情報、キー配置情報、選択候補項目の優先度に基づいてキー割当情報を決定する。このときキー割当決定手段４０は、座標情報およびキー配置情報に基づいて利用者の指の近くにあるキー２１を抽出し、選択候補項目の優先度に基づき左から、あるいは、右から、上から、あるいは、下から順に選択候補項目の配置を行い、選択候補項目ごとのキー割り当てを決定する。
図１２Ａおよび図１２Ｂは、本発明の実施の形態３に係る通信端末１００の動作例を説明する図である。図１２Ａおよび図１２Ｂにおけるアプリケーション実行手段２は、例として音楽を再生する機能を実行する。
図１２Ａに示す状態においてキー割当決定手段４０は図１１に示すフローチャートに従って処理を実行する。キー割当決定手段４０はステップＳ４２１において選択候補項目の優先度を取得する。次にキー割当決定手段４０はステップＳ４２４において選択候補項目、座標情報、キー配置情報、選択候補項目の優先度に基づいてキー割当情報を決定する。このときキー割当決定手段４０は、座標情報およびキー配置情報に基づいて利用者の指の近くにあるキー２１−４、キー２１−５を抽出し、選択候補項目の優先度に基づき右から順に選択候補項目「音大」選択候補項目「音小」の配置を行い、選択候補項目ごとのキー割り当てを決定する。
次に、表示レイアウト決定手段５０は、図５に示すフローチャートに従いキー割当情報から選択候補項目６０１−１ｄ、選択候補項目６０１−２ｄを決定する。次に、表示手段３０が図１０Ａに示すように選択候補項目６０１−１ｄ、選択候補項目６０１−２ｄを表示する。画像６０１−５ｄはアプリケーション実行手段２が表示する現在再生中の音楽の音量を示す画像である。
図１２Ｂに示す状態においてキー割当決定手段４０は図１１に示すフローチャートに従って処理を実行する。次にキー割当決定手段４０はステップＳ４２２において選択候補項目、座標情報、キー配置情報、選択候補項目の優先度に基づいてキー割当情報を決定する。このときキー割当決定手段４０は、座標情報およびキー配置情報に基づいて利用者の指の近くにあるキー２１−４、キー２１−５を抽出し、選択候補項目の優先度に基づき右から順に選択候補項目「音大」選択候補項目「音小」の配置を行い、選択候補項目ごとのキー割り当てを決定する。
次に、表示レイアウト決定手段５０は、図５に示すフローチャートに従いキー割当情報から選択候補項目６０１−１ｅ、選択候補項目６０１−２ｅを決定する。次に、表示手段３０が図１０Ａに示すように選択候補項目６０１−１ｅ、選択候補項目６０１−２ｅを表示する。画像６０１−５ｅはアプリケーション実行手段２が表示する現在再生中の音楽の音量を示す画像である。
このように、本発明の実施の形態３に係る通信端末１００のキー割当決定手段４０は、選択候補項目が持つ意味（「ＯＫ」「Ｃａｎｃｅｌ」「音量小」「音量大」など）に応じて、選択候補項目の配置を変更する。
よって、本実施の形態によれば、常に同様の操作で同じ結果を得られるため、選択候補項目の動的な配置の入れ替えによるユーザの操作上の混乱や誤操作を軽減する事が可能となる。
【００３６】
（実施の形態４）
本発明の実施の形態４では、タッチパッド１０−１上の選択候補項目の範囲外を指が接触した場合、キャンセル動作と見なし、選択候補項目の表示を消去する実施例を説明する。なお、本発明の実施の形態４に係る通信端末１００は、図２に示す本発明の実施の形態１に係る通信端末１００の構成を有する。
図１３は、本発明の実施の形態４に係る選択項目出力手段６０の処理手順を表すフローチャートである。以下、図１１に示すフローチャートに沿って選択項目出力手段６０の動作を説明する。
ステップＳ６１１において選択項目出力手段６０はタッチパッド１０−１が検出した座標情報を取得する。次にステップＳ６１２において選択項目出力手段６０はタッチパッド１０−１が検出した座標情報が選択候補項目の表示領域内にあるかどうかによって処理を分岐する。すなわち、座標情報が選択候補項目の表示領域内にある場合（ステップＳ６１２、領域内）は、選択項目出力手段６０はステップＳ６０２に処理を進め、座標情報が選択候補項目の表示領域外にある場合（ステップＳ６１２、領域外）は、選択項目出力手段６０はステップＳ６１３に処理を進める。ステップＳ６１３において選択項目出力手段６０は選択操作のキャンセルをアプリケーション実行手段２へ出力する。
このように、本発明の実施の形態４に係る通信端末１００の選択項目出力手段６０は、タッチパッド１０−１上の選択候補項目の範囲外を指が接触した場合、キャンセル動作と見なし、選択候補項目の表示を消去する。
よって、本実施の形態によれば、ユーザが誤って選択候補項目を表示してしまった場合や、選択候補項目を目視確認した上で、選択動作をキャンセルしたい場合に、選択動作のキャンセルを容易に行う事が可能となる。
【産業上の利用可能性】
【００３７】
本発明に係る操作入力装置および操作入力制御方法は、座標検出装置を操作し、画面上の選択項目にカーソルが移動したあと、目視確認せずとも所望の項目を選択する事ができるという効果を有し、携帯電話機等として有用である。
【符号の説明】
【００３８】
１    入力装置
２    アプリケーション実行手段
１０    座標入力手段
１０−１    タッチパッド
２０    キー
２１    複数の操作キー
２２    キーシート
２３    パネルスイッチ
２４    プリント基板
２５〜２７    電極
３０    表示手段
４０    キー割当決定手段
５０    表示レイアウト決定手段
６０    選択項目出力手段
１００    表示入力装置
【図１】
2011090365.tif 000003
【図２】
2011090365.tif 000004
【図３Ａ】
2011090365.tif 000005
【図３Ｂ】
2011090365.tif 000006
【図４】
2011090365.tif 000007
【図５】
2011090365.tif 000008
【図６】
2011090365.tif 000009
【図７Ａ】
2011090365.tif 000010
【図７Ｂ】
2011090365.tif 000011
【図７Ｃ】
2011090365.tif 000012
【図８】
2011090365.tif 000013
【図９】
2011090365.tif 000014
【図１０Ａ】
2011090365.tif 000015
【図１０Ｂ】
2011090365.tif 000016
【図１１】
2011090365.tif 000017
【図１２Ａ】
2011090365.tif 000018
【図１２Ｂ】
2011090365.tif 000019
【図１３】
2011090365.tif 000020